(57)【要約】【課題】トンネル内周面の作業位置に容易に手が届き、かつ、安全に作業を行うことができる作業用足場装置を提供する。【解決手段】レール部材８と、レール部材８に設けられた走行部９と、走行部９に設けられたバケット１０とを備えた作業用足場装置１において、バケット１０の外周壁１３が、走行部９にトンネル軸と平行な軸回りに回動自在に設けられた固定壁部１５と、固定壁部１５にバケット外方に屈曲可能に設けられた可動壁部１６とを備え、可動壁部１６が、その下部に形成されバケット外方に屈曲されて倒されたとき足場を形成する拡張足場部１９と、拡張足場部１９に水平軸回り回動自在に連結され拡張足場部１９の上方に壁面を形成する拡張壁部２０と、拡張壁部２０の両側と固定壁部１５の間にそれぞれ掛け渡されると共に拡張壁部２０と固定壁部１５に回動可能に連結された可動柵部２１とを備えた。【選択図】図１
2010065416.tif 000002
【特許請求の範囲】
【請求項１】
トンネルの内周に沿って延びるレール部材と、該レール部材に走行自在に設けられた走行部と、該走行部にトンネル軸と平行な軸回りに回動自在に設けられると共に走行部が走行しても水平となるように設けられた作業用のバケットとを備えた作業用足場装置において、上記バケットの外周壁が、上記走行部にトンネル軸と平行な軸回りに回動自在に設けられた固定壁部と、該固定壁部にバケット外方に屈曲可能に設けられた可動壁部とを備え、該可動壁部が、その下部に形成されバケット外方に屈曲されて倒されたとき足場を形成する拡張足場部と、該拡張足場部に水平軸回り回動自在に連結され拡張足場部の上方に壁面を形成する拡張壁部と、該拡張壁部の両側と上記固定壁部の間にそれぞれ掛け渡されると共に拡張壁部と固定壁部に回動可能に連結された可動柵部とを備えたことを特徴とする作業用足場装置。
【請求項２】
上記可動壁部が、上記バケットのトンネル軸方向側の外周壁に形成された請求項１記載の作業用足場装置。
【請求項３】
上記可動壁部が、上記バケットのトンネル側方の外周壁に形成された請求項１記載の作業用足場装置。
【請求項４】
トンネルの内周に沿って延びるレール部材と、該レール部材に走行自在に設けられた走行部と、該走行部にトンネル軸と平行な軸回りに回動自在に設けられると共に走行部が走行しても水平となるように設けられた作業用のバケットとを備えた作業用足場装置において、上記バケットの外周壁が、上記走行部にトンネル軸と平行な軸回りに回動自在に設けられた固定壁部と、該固定壁部にバケット外方にスライド可能に設けられた可動壁部とを備え、該可動壁部が、上記固定壁部に近接離間される拡張壁部と、該拡張壁部の両側に設けられると共に上記固定壁部にスライド可能に設けられる可動柵部とを備え、上記バケットの足場部が、上記固定壁部に設けられる固定足場部と、該固定足場部に上記可動壁部のスライド方向にスライド可能に設けられると共に上記拡張壁部に連結され上記可動壁部と一体にスライドして拡張壁部と固定足場部との間に足場を形成する拡張足場部とを備えたことを特徴とする作業用足場装置。
【請求項５】
上記可動壁部が、上記固定壁部にトンネル軸方向にスライド可能に設けられた請求項４記載の作業用足場装置。
【請求項６】
上記可動壁部が、上記固定壁部にトンネル側方にスライド可能に設けられた請求項４記載の作業用足場装置。
【発明の詳細な説明】
【技術分野】
【０００１】
本発明は、トンネルの内壁に接近される作業用足場装置に関する。
【背景技術】
【０００２】
大口径シールド等においては、セグメントのピース間やリング間をボルトで締結する作業や、エレクタの把持金物の取り出し作業を行うため、旋回式の作業用足場装置を装備する。
【０００３】
この作業用足場装置は、トンネルの内周に沿って延びるレール部材に、レール部材に沿って走行する走行部を設け、この走行部に作業用のバケットを、走行部が走行しても水平となるようにトンネル軸と平行な軸回りに回動自在に、かつ、トンネル軸方向（坑口側、切羽側）に摺動自在に設けて構成されている。
【０００４】
作業用足場装置を用いてセグメントのピース間ボルトを締める場合、走行部に対してバケットを坑口側又は切羽側に摺動させて作業者の立ち位置を微調整するが、作業用足場装置の摺動ストロークが足らず、作業者の手が届かないという場合があると共に、施工条件でセグメントの桁厚が変わり、ボルト締結部や把持金物のところに作業者の手が届かなくなる場合があるという問題があった。
【０００５】
この場合、作業者は、バケットから体を乗り出して作業を行わなくてはならず、安全上問題があった。
【０００６】
また、特許文献１には、バケットに前方に回動するステップを設け、バケット内の作業員がステップを利用して前方のボルト締結作業を行えるようにした発明と、バケットの底板に前方にスライド可能な作業ステップを設けると共に、作業ステップに前壁を設け、前壁に左右のチェーンを連結する発明とが記載されている。
【０００７】
【特許文献１】特開２００２−３５７０９９号公報
【発明の開示】
【発明が解決しようとする課題】
【０００８】
しかしながら、特許文献１のバケットに前方に回動するステップを設ける発明は、ステップが前方に突出されるだけであるため、バケット外に体を乗り出すことには変わりなく、安全上問題があるという課題があった。
【０００９】
また、バケットの底板にスライド可能な作業ステップを設けると共に、作業ステップに前壁を設け、前壁に左右のチェーンを連結する発明は、作業員の体をチェーンで支えることは困難であり、実質的にバケット外に体を乗り出しているのと同じであり、安全上問題があるという課題があった。
【００１０】
そこで、本発明の目的は、上記課題を解決し、トンネル内周面の作業位置に容易に手が届き、かつ、安全に作業を行うことができる作業用足場装置を提供することにある。
【課題を解決するための手段】
【００１１】
上記課題を解決するために本発明は、トンネルの内周に沿って延びるレール部材と、該レール部材に走行自在に設けられた走行部と、該走行部にトンネル軸と平行な軸回りに回動自在に設けられると共に走行部が走行しても水平となるように設けられた作業用のバケットとを備えた作業用足場装置において、上記バケットの外周壁が、上記走行部にトンネル軸と平行な軸回りに回動自在に設けられた固定壁部と、該固定壁部にバケット外方に屈曲可能に設けられた可動壁部とを備え、該可動壁部が、その下部に形成されバケット外方に屈曲されて倒されたとき足場を形成する拡張足場部と、該拡張足場部に水平軸回り回動自在に連結され拡張足場部の上方に壁面を形成する拡張壁部と、該拡張壁部の両側と上記固定壁部の間にそれぞれ掛け渡されると共に拡張壁部と固定壁部に回動可能に連結された可動柵部とを備えたものである。
【００１２】
上記可動壁部が、上記バケットのトンネル軸方向側の外周壁に形成されるとよい。
【００１３】
上記可動壁部が、上記バケットのトンネル側方の外周壁に形成されるとよい。
【００１４】
また、トンネルの内周に沿って延びるレール部材と、該レール部材に走行自在に設けられた走行部と、該走行部にトンネル軸と平行な軸回りに回動自在に設けられると共に走行部が走行しても水平となるように設けられた作業用のバケットとを備えた作業用足場装置において、上記バケットの外周壁が、上記走行部にトンネル軸と平行な軸回りに回動自在に設けられた固定壁部と、該固定壁部にバケット外方にスライド可能に設けられた可動壁部とを備え、該可動壁部が、上記固定壁部に近接離間される拡張壁部と、該拡張壁部の両側に設けられると共に上記固定壁部にスライド可能に設けられる可動柵部とを備え、上記バケットの足場部が、上記固定壁部に設けられる固定足場部と、該固定足場部に上記可動壁部のスライド方向にスライド可能に設けられると共に上記拡張壁部に連結され上記可動壁部と一体にスライドして拡張壁部と固定足場部との間に足場を形成する拡張足場部とを備えるとよい。
【００１５】
上記可動壁部が、上記固定壁部にトンネル軸方向にスライド可能に設けられるとよい。
【００１６】
上記可動壁部が、上記固定壁部にトンネル側方にスライド可能に設けられるとよい。
【発明の効果】
【００１７】
本発明によれば、トンネル内周面の作業位置に容易に手が届き、かつ、安全に作業を行うことができる。
【発明を実施するための最良の形態】
【００１８】
本発明の好適実施の形態を添付図面を用いて説明する。
【００１９】
図１はシールド掘進機に具備される作業用足場装置の側面図であり、図２は作業用足場装置を坑口側（トンネル掘進方向後側）から視た背面図である。
【００２０】
図１及び図２に示すように、作業用足場装置１は、セグメント２を組み立てるエレクタ装置３と、エレクタ装置３で組み立てたセグメント２の形状を保持する形状保持装置４との間に配置される。作業用足場装置１は、エレクタ装置３でセグメント２を組み立てるときセグメント組立位置の近傍に足場を形成する。作業用足場装置１は、シールド掘進機本体５内から掘進方向後方に延びる後方デッキ６上に走行自在に設けられた台車部７と、台車部７に設けられトンネルの内周に沿って延びるレール部材８と、レール部材８に走行自在に設けられた走行部９と、走行部９にトンネル軸と平行な軸回りに回動自在に設けられると共に走行部９が走行しても水平となるように設けられた作業用のバケット１０とを備えて構成されている。
【００２１】
レール部材８は、トンネルの下部一側からトンネル上部を経てトンネルの下部他側に延びるように円弧状に形成されており、外周に走行部９に噛合されるラックギヤ（図示せず）を有する。
【００２２】
走行部９は、レール部材８の両側にそれぞれ独立して走行可能に設けられている。走行部９は、ラックギヤに噛合されるピニオンギヤ１１と、ピニオンギヤ１１を回転駆動する駆動装置（図示せず）と、バケット１０を支持すべくトンネル軸方向前方に延びる回転軸１２と、バケット１０を水平に維持するように走行部９の走行に応じて回転軸１２を回転させるべくピニオンギヤ１１と回転軸１２の間に介設されピニオンギヤ１１の回転を反転すると共に減速して回転軸１２に伝達する減速機（図示せず）とを備える。
【００２３】
バケット１０は、それぞれの走行部９に設けられている。バケット１０は、バケット１０の外周を区画する外周壁１３と、外周壁１３の下部に設けられ作業員が搭乗するための足場部１４とを備える。外周壁１３は、走行部９にトンネル軸と平行な軸回りに回動自在に設けられた固定壁部１５と、固定壁部１５にバケット外方に屈曲可能に設けられた可動壁部１６とを備える。
【００２４】
固定壁部１５は、平面視コ字状に形成されバケット１０の左右側壁と後壁を構成する。図４に示すように、固定壁部１５は、下部を板状に形成されると共に、上部を柵状に形成されており、安全性を確保しつつ良好な視界を得られるようになっている。図１及び図２に示すように、後壁を構成する固定壁部１５には、回転軸１２の先端部が設けられており、固定壁部１５と回転軸１２が一体に回転するようになっている。また、トンネルの中心側の側壁を構成する固定壁部１５には、作業員がバケット１０に乗降するための開閉自在な扉（図示せず）が設けられている。
【００２５】
可動壁部１６は、左右に延びるように形成されバケット１０の前壁を構成する。図３（ａ）、図３（ｂ）及び図４に示すように、可動壁部１６は、両側を固定壁部１５に固定されると共に下端を足場部１４に固定された固定下部１７と、固定下部１７の上端に蝶番１８を介して回動可能に連結され起立したとき壁面を形成すると共にバケット外方に屈曲されて倒れたとき足場を形成する拡張足場部１９と、拡張足場部１９に水平軸回り回動自在に連結され拡張足場部１９の上方に壁面を形成する拡張壁部２０と、拡張壁部２０の両側と固定壁部１５の間にそれぞれ掛け渡されると共に拡張壁部２０と固定壁部１５に回動可能に連結された可動柵部２１とを備える。
【００２６】
拡張足場部１９は、板状に形成され、固定下部１７の上方、かつ、可動壁部１６の下部に形成されている。拡張足場部１９は、固定下部１７より上方に位置されることで倒れたとき足場部１４より一段高い位置に足場を形成するようになっている。また、固定下部１７には、拡張足場部１９がバケット外方に倒れて水平となったとき拡張足場部１９の底面に当接して拡張足場部１９を水平に保持するストッパ部２２が形成されている。
【００２７】
拡張壁部２０は、下端を拡張足場部１９の回動端に水平軸回り回動自在に連結されている。拡張壁部２０の下部は板状に形成され、拡張壁部２０の上部は柵状に形成されている。また、拡張壁部２０の下部と固定壁部１５には、拡張足場部１９を起立させて収納したとき拡張壁部２０をロックするための壁ロック機構２３が設けられている。壁ロック機構２３は、拡張足場部１９に後方に延びて設けられた第一フランジ２４と、拡張壁部２０の両側の固定壁部１５にバケット内方に延びて設けられた第二フランジ２５と、これらフランジ２４、２５に貫通されるピン２６とからなる。また、拡張壁部２０の上端には、前方に延びる作業棚２７が収納可能に設けられている。作業棚２７は、拡張壁部２０の上端に水平軸回り回動自在に設けられ前方に回動されたとき棚を形成すると共に下方に回動されたとき拡張壁部２０に重なって収容される棚板２８と、棚板２８を前方に延ばしたとき棚板２８を支持する支持ロッド２９とを備える。支持ロッド２９は、伸縮可能な二重管３０、３１と、棚板２８を前方に延ばしたとき二重管３０、３１に径方向に貫通されて二重管３０、３１の伸縮をロックするピン（図示せず）とからなる。二重管３０、３１の内管３０と外管３１には、棚板２８を前方に延ばしたときに重なる孔（図示せず）と、棚板２８を収納したとき重なる孔（図示せず）とが形成されている。また、作業棚２７と拡張壁部２０には、作業棚２７を収納したとき作業棚２７をロックする棚ロック機構３２が設けられている。棚ロック機構３２は、棚板２８の先端部に後方に延びて設けられた第三フランジ３３と、拡張壁部２０の柵状の上部と板状の下部との間に設けられた第四フランジ３４と、これらフランジ３３、３４に貫通されるピン３５とからなる。
【００２８】
可動柵部２１は、ロッド状に形成され、一端を固定壁部１５に水平軸回り回動自在に連結されると共に、他端側を拡張壁部２０の側部に水平軸回り回動自在に、かつ長手方向スライド可能に連結されている。また、可動柵部２１は、拡張足場部１９が前方に倒れたとき拡張壁部２０の前方への回動を規制して拡張壁部２０を鉛直に支持するようになっている。
【００２９】
足場部１４は、平面視矩形状に形成されており、外周壁１３の下部を塞ぐように外周壁１３に設けられている。
【００３０】
次に本実施の形態の作用を述べる。
【００３１】
作業用足場装置１を用いてセグメント２のボルト締め作業を行う場合、図２に示すように、後方デッキ６の下部両側に設けられた連絡足場３６からバケット１０に乗り込み、台車部７を前方に走行させてトンネル軸方向の位置を調節すると共に走行部９をレール部材８に沿って走行させてトンネル周方向の位置を調節し、所定の作業位置に接近する。この後、バケット１０上から手を伸ばしてボルト締め作業を行う。
【００３２】
作業用足場装置１の台車部７やレール部材８等が他の機器等と干渉するなどしてバケット１０を作業位置に十分接近させられない場合、図３（ａ）、図３（ｂ）に示すように、壁ロック機構２３による拡張壁部２０のロックを解除し、拡張壁部２０を前方に押す。これにより、拡張足場部１９が前方に倒れてバケット１０の前方に拡張足場部１９による足場が増設されると共に、拡張壁部２０が起立した姿勢のまま前方に移動され、さらに、可動柵部２１が拡張壁部２０に追従して前方に回動して固定壁部１５と拡張壁部２０の間に柵が形成され、バケット１０自体が前方に拡張される。拡張足場部１９上に乗ることで容易に作業位置に手を伸ばすことができる。またさらに、拡張足場部１９は足場部１４より一段高い位置に形成されるため、前方への拡張長さ以上に作業位置に手を接近させることができ、容易に作業を行うことができる。
【００３３】
また、作業位置の近傍に工具や資材等を配置したい場合、棚ロック機構３２による作業棚２７のロックを解除し、棚板２８の下部を前方に押す。棚板２８は、上端を中心として前方に回動される。棚板２８が水平な姿勢になったら支持ロッド２９の内管３０と外管３１の孔にピンを貫通させて支持ロッド２９の伸縮をロックする。これにより、拡張壁部２０の上端から前方に延びる棚が形成され、作業位置の近傍に工具や資材等を配置することができる。
【００３４】
１ピース分のセグメント２のボルト締め作業が終了したら、拡張したバケット１０を元に戻す。具体的には、拡張壁部２０を持ち上げつつ後方に引く。これにより、拡張足場部１９の前側が上方に回動されて起立されると共に、拡張壁部２０が起立した姿勢のまま後方に移動され、かつ、可動柵部２１が回動されて固定壁部１５と拡張壁部２０の間の空間に収納される。この後、壁ロック機構２３で拡張壁部２０をロックして拡張壁部２０の移動を規制する。
【００３５】
この後、台車部７をセグメント１リング分後退させ、次セグメント２をエレクタ装置３にて組み立てて、前述と同様にセグメント２のボルト締め作業を開始する。台車部７を前進させるとき、拡張壁部２０、拡張足場部１９及び可動柵部２１はそれぞれ収納されているため、エレクタ装置３にバケット１０を十分接近させることができる。
【００３６】
このように、バケット１０の外周壁１３が、走行部９にトンネル軸と平行な軸回りに回動自在に設けられた固定壁部１５と、固定壁部１５にバケット外方に屈曲可能に設けられた可動壁部１６とを備え、可動壁部１６が、その下部に形成されバケット外方に屈曲されて倒されたとき足場を形成する拡張足場部１９と、拡張足場部１９に水平軸回り回動自在に連結され拡張足場部１９の上方に壁面を形成する拡張壁部２０と、拡張壁部２０の両側と固定壁部１５の間にそれぞれ掛け渡されると共に拡張壁部２０と固定壁部１５に回動可能に連結された可動柵部２１とを備えるため、バケット１０自体を前方に拡張することができ、作業用足場装置１全体と他の機器との取り合いは変えることなく、セグメント組立作業時、作業者が作業し易い距離まで作業位置に近づくことができる。そして、作業者がバケット１０から体を乗り出さなくとも作業ができ、安全に作業が行える。
【００３７】
また、可動壁部１６が、バケット１０のトンネル軸方向側の外周壁１３に形成されるものとしたため、作業位置とバケット１０の位置がトンネル軸方向に離間され、作業員の手が作業位置に届かない場合、可動壁部１６を前方に拡張させることで容易かつ安全に作業ができる。
【００３８】
なお、拡張足場部１９は、固定下部１７に蝶番１８を介して回動可能に連結されるものとしたが、これに限るものではない。拡張足場部１９は、固定下部１７に左右に延びる水平軸回り回動可能に連結されていればよい。
【００３９】
バケット１０に変更を加えた第二の実施の形態について述べる。バケット１０以外の構成については上述と同様であるため、説明を省略する。また、上述と同様の構成については同符号を付し、説明を省略する。
【００４０】
図５は第二の実施の形態を示すバケットの背面図であり、図６はこのバケットの平面図であり、図７は図５に示すバケットの側面図である。
【００４１】
セグメント２の桁厚がトンネルの途中で薄くなる等により作業位置に作業者の手か届かなくなる場合、上述のバケット１０では作業員が作業位置に近づくことはできない。このような場合、図５、図６及び図７に示すように、バケット４０のトンネル側方の外周壁４１に上述と同様の可動壁部４２を形成するとよい。かかるバケット４０について以下に詳述する。
【００４２】
バケット４０は、バケット４０の外周を区画する外周壁４１と、外周壁４１の下部に設けられ作業員が搭乗するための足場部１４とを備える。外周壁４１は、走行部９にトンネル軸と平行な軸回りに回動自在に設けられた固定壁部４３と、固定壁部４３にバケット外方に屈曲可能に設けられた可動壁部４２とを備える。
【００４３】
固定壁部４３は、平面視コ字状に形成されバケット４０の前壁と、後壁と、トンネル中心側の側壁とを構成する。固定壁部４３は、下部を板状に形成されると共に、上部を柵状に形成されており、安全性を確保しつつ良好な視界を得られるようになっている。後壁を構成する固定壁部４３には、回転軸１２の先端部が設けられており、固定壁部４３と回転軸１２が一体に回転するようになっている。また、トンネル中心側の側壁を構成する固定壁部４３には、作業員がバケット４０に乗降するための開閉自在な扉４４が設けられている。
【００４４】
可動壁部４２は、前後に延びるように形成されバケット４０のトンネル外周側の側壁を構成する。可動壁部４２は、両側を固定壁部４３に固定されると共に下端を足場部１４に固定された固定下部１７と、固定下部１７の上端に蝶番１８を介して回動可能に連結され起立したとき壁面を形成すると共にバケット４０外方に屈曲されて倒れたとき足場を形成する拡張足場部１９と、拡張足場部１９に前後に延びる水平軸回り回動自在に連結され拡張足場部１９の上方に壁面を形成する拡張壁部２０と、拡張壁部２０の両側と固定壁部４３の間にそれぞれ掛け渡されると共に拡張壁部２０と固定壁部４３に回動可能に連結された可動柵部２１とを備える。
【００４５】
次に第二の実施の形態の作用を述べる。
【００４６】
セグメント２の桁厚がトンネルの途中で薄くなり、作業位置に作業者の手か届かなくなった場合、壁ロック機構２３による拡張壁部２０のロックを解除し、バケット４０内から拡張壁部２０を押す。これにより、拡張足場部１９がトンネル外周側の側方に倒れて拡張足場部１９による足場が形成されると共に、拡張壁部２０が起立した姿勢のままトンネル外周側に移動され、さらに、可動柵部２１が拡張壁部２０に追従してトンネル外周側に回動して固定壁部４３と拡張壁部２０の間に柵が形成され、バケット４０自体がトンネル外周側の側方に拡張される。拡張足場部１９上に乗ることで容易に作業位置に手を伸ばすことができる。またさらに、拡張足場部１９は足場部１４より一段高い位置に形成されるため、トンネル側方への拡張長さ以上に作業位置に手を接近させることができ、容易に作業を行うことができる。
【００４７】
このように、可動壁部４２が、バケット４０のトンネル側方の外周壁４１に形成されるものにすると、バケット４０自体をトンネル側方に拡張することができ、セグメント２の桁厚がトンネルの途中で薄くなる等により作業位置に作業者の手か届かなくなった場合でも、作業用足場装置全体と他の機器との取り合いは変えることなく、作業者が作業し易い距離まで作業位置に近づくことができる。そして、作業者がバケット４０から体を乗り出さなくとも作業ができ、安全に作業が行える。
【００４８】
なお、第一の実施の形態と第二の実施の形態では、可動壁部４２が外周壁４１の前方又は側方のいずれか一方に形成されるものとしたが、外周壁４１の前方と側方の両方に可動壁部４２が形成されるものとしてもよい。
【００４９】
また、レール部材８に沿って走行するバケット４０が１つである場合、バケット４０の両側の外周壁４１に可動壁部４２が形成されるとよい。
【００５０】
第一の実施の形態に係るバケット１０に変更を加えた第三の実施の形態について述べる。バケット１０以外の構成については第一の実施の形態と同様であるため、説明を省略する。また、第一の実施の形態と同様の構成については同符号を付し、説明を省略する。
【００５１】
図８は第三の実施の形態を示すバケットの側面図であり、図９はこのバケットの背面図であり、図１０は図８に示すバケットの底面図である。
【００５２】
図８、図９及び図１０に示すように、バケット５０は、バケット５０の外周を区画する外周壁５１と、外周壁５１の下部に設けられ作業員が搭乗するための足場部５２とを備える。外周壁５１は、走行部９にトンネル軸と平行な軸回りに回動自在に設けられた固定壁部５３と、固定壁部５３にバケット外方にスライド可能に設けられた可動壁部５４とを備える。
【００５３】
固定壁部５３は、平面視コ字状に形成されバケット５０の左右側壁と後壁を構成する。
【００５４】
可動壁部５４は、前壁を構成し固定壁部５３に近接離間される拡張壁部５５と、拡張壁部５５の両側に設けられると共に固定壁部５３に前後スライド可能に設けられる可動柵部５６とを備える。拡張壁部５５の下部は板状に形成され、拡張壁部５５の上部は柵状に形成されている。可動柵部５６は、前後に延びるロッド状に形成され、前端を拡張壁部５５に取り付けられると共に、固定壁部５３にスライド可能に支持されている。
【００５５】
足場部５２は、固定壁部５３に一体に設けられる固定足場部５７と、固定足場部５７の下側に可動壁部５４と同方向にスライド可能に設けられた拡張足場部５８とを備える。拡張足場部５８は、前端を拡張壁部５５に連結されており、可動壁部５４と一体にスライドするようになっている。拡張足場部５８は、可動壁部５４と一体にスライドしたとき拡張壁部５５と固定足場部５７との間に足場を形成する。
【００５６】
次に第三の実施の形態の作用を述べる。
【００５７】
作業用足場装置の台車部７やレール部材８等が他の機器等と干渉するなどしてバケット５０を作業位置に十分接近させられない場合、拡張壁部５５を前方に押す。これにより、拡張壁部５５と拡張足場部５８と可動柵部５６が前方へスライドし、固定足場部５７の前方に拡張足場部５８による足場が形成され、固定壁部５３と拡張壁部５５の間で可動柵部５６が延び、バケット５０自体が前方に拡張される。拡張足場部５８上に乗ることで容易に作業位置に手を伸ばすことができる。
【００５８】
１ピース分のセグメント２のボルト締め作業が終了したら、拡張したバケット５０を元に戻す。具体的には、拡張壁部５５を後方に引く。これにより、拡張壁部５５と拡張足場部５８と可動柵部５６が後方にスライドし、バケット５０が、縮小される。
【００５９】
この後、台車部７をセグメント１リング分後退させ、次セグメント２をエレクタ装置３にて組み立てて、前述と同様に次のセグメント２のボルト締め作業を開始する。台車部７を前進させるとき、拡張壁部５５、拡張足場部５８及び可動柵部５６はそれぞれ収納されているため、エレクタ装置３にバケット５０を十分接近させることができる。
【００６０】
このように、バケット５０の外周壁５１が、走行部９にトンネル軸と平行な軸回りに回動自在に設けられた固定壁部５３と、固定壁部５３にバケット外方にスライド可能に設けられた可動壁部５４とを備え、可動壁部５４が、固定壁部５３に近接離間される拡張壁部５５と、拡張壁部５５の両側に設けられると共に固定壁部５３にスライド可能に設けられる可動柵部５６とを備え、バケット５０の足場部５２が、固定壁部５３に設けられる固定足場部５７と、固定足場部５７に可動壁部５４のスライド方向にスライド可能に設けられると共に拡張壁部５５に連結され可動壁部５４と一体にスライドして拡張壁部５５と固定足場部５７との間に足場を形成する拡張足場部５８とを備えるものとしたため、バケット５０自体を前方に拡張することができ、作業用足場装置全体と他の機器との取り合いは変えることなく、セグメント組立作業時、作業者が作業し易い距離まで作業位置に近づくことができる。そして、作業者がバケット５０から体を乗り出さなくとも作業ができ、安全に作業が行える。
【００６１】
また、可動壁部５４が、固定壁部５３にトンネル軸方向にスライド可能に設けられるものとしたため、作業位置とバケット５０の位置がトンネル軸方向に離間され、作業員の手が作業位置に届かない場合、可動壁部５４を前方にスライドさせることで容易かつ安全に作業ができる。
【００６２】
第三の実施の形態に係るバケットに変更を加えた第四の実施の形態について述べる。バケット以外の構成については上述と同様であるため、説明を省略する。また、上述と同様の構成については同符号を付し、説明を省略する。
【００６３】
図１１は第四の実施の形態を示すバケットの背面図であり、図１２はこのバケットの平面図であり、図１３は図１１に示すバケットの底面図である。
【００６４】
トンネル側方の作業位置に作業者の手か届かなくなる場合、図１１、図１２及び図１３に示すように、バケット６０のトンネル側方の外周壁にトンネル側方にスライド可能な可動壁部６１を形成するとよい。
【００６５】
具体的には、バケット６０は、バケット６０の外周を区画する外周壁６２と、外周壁６２の下部に設けられた足場部６３とを備える。外周壁６２は、走行部９にトンネル軸と平行な軸回りに回動自在に設けられた固定壁部６４と、固定壁部６４にバケット外方にスライド可能に設けられた可動壁部６１とを備える。
【００６６】
固定壁部６４は、平面視コ字状に形成されバケット６０の前壁と後壁とトンネル中心側の側壁とを構成する。
【００６７】
可動壁部６１は、トンネル外周側の側壁を構成し固定壁部６４に近接離間される拡張壁部５５と、拡張壁部５５の前後両端部に設けられると共に固定壁部６４に左右方向にスライド可能に設けられる可動柵部５６とを備える。拡張壁部５５の下部は板状に形成され、拡張壁部５５の上部は柵状に形成されている。可動柵部５６は、左右に延びるロッド状に形成され、トンネル外周側の端部を拡張壁部５５に取り付けられると共に、固定壁部６４にスライド可能に支持されている。
【００６８】
足場部６３は、固定壁部６４に一体に設けられる固定足場部５７と、固定足場部５７の下側に可動壁部６１と同方向にスライド可能に設けられた拡張足場部５８とを備える。拡張足場部５８は、トンネル外周側の端部を拡張壁部５５に連結されており、可動壁部６１と一体にスライドするようになっている。拡張足場部５８は、可動壁部６１と一体にスライドしたとき拡張壁部５５と固定足場部５７との間に足場を形成する。
【００６９】
次に第四の実施の形態の作用を述べる。
【００７０】
バケット６０をトンネル側方の作業位置に十分接近させられない場合、拡張壁部５５をトンネル外周側の側方に押す。これにより、拡張壁部５５と拡張足場部５８と可動柵部５６がトンネル外周側の側方にスライドし、固定足場部５７のトンネル外周側の側方に拡張足場部５８による足場が形成され、固定壁部６４と拡張壁部５５の間で可動柵部５６が延び、バケット６０自体がトンネル外周側に拡張される。拡張足場部５８上に乗ることで容易に作業位置に手を伸ばすことができる。
【００７１】
このように、可動壁部６１が、固定壁部６４にトンネル側方にスライド可能に設けられるものにすると、バケット６０自体をトンネル側方に拡張することができ、セグメント２の桁厚がトンネルの途中で薄くなる等により作業位置に作業者の手か届かなくなった場合でも、作業用足場装置全体と他の機器との取り合いは変えることなく、作業者が作業し易い距離まで作業位置に近づくことができる。そして、作業者がバケット６０から体を乗り出さなくとも作業ができ、安全に作業が行える。
【００７２】
なお、バケット１０、４０、５０、６０はレール部材８の前方（切羽側）に位置されるものとしたが、作業用足場装置が、セグメント２の内面に加工を施すためのものである場合、レール部材８の後方に位置されていてもよい。この場合、可動壁部１６、４２、５４、６１は外周壁１３、４１、５１、６２の後側に形成されるものとしてもよい。
【００７３】
また、走行部９の走行に応じて回転軸１２を回転させ、バケット１０、４０、５０、６０を水平に維持するものとしたが、バケット１０、４０、５０、６０の下部にウェイト（図示せず）を設け、ウェイトの重さでバケット１０、４０、５０、６０を水平に維持するものとしてもよく、他の機構で水平に維持するものとしてもよい。
【図面の簡単な説明】
【００７４】
【図１】本発明の好適実施の形態を示す作業用足場装置の側面図である。
【図２】作業用足場装置の背面図である。
【図３】（ａ）は図１の拡張足場部が展開されたバケットの要部拡大図であり、（ｂ）は拡張足場部が格納されたバケットの要部拡大図である。
【図４】図３（ｂ）のＡ−Ａ線矢視図である。
【図５】他の実施の形態を示すバケットの背面図である。
【図６】図５の平面図である。
【図７】図５のＢ−Ｂ線矢視図である。
【図８】他の実施の形態を示すバケットの側面図である。
【図９】図８の背面図である。
【図１０】図８の底面図である。
【図１１】他の実施の形態を示すバケットの背面図である。
【図１２】図１１の平面図である。
【図１３】図１１のＣ−Ｃ線矢視図である。
【符号の説明】
【００７５】
１  作業用足場装置
８  レール部材
９  走行部
１０  バケット
１３  外周壁
１５  固定壁部
１６  可動壁部
１９  拡張足場部
２０  拡張壁部
２１  可動柵部
５０  バケット
５１  外周壁
５２  足場部
５３  固定壁部
５４  可動壁部
５５  拡張壁部
５６  可動柵部
５７  固定足場部
５８  拡張足場部
【図１】
2010065416.tif 000003
【図２】
2010065416.tif 000004
【図３】
2010065416.tif 000005
【図４】
2010065416.tif 000006
【図５】
2010065416.tif 000007
【図６】
2010065416.tif 000008
【図７】
2010065416.tif 000009
【図８】
2010065416.tif 000010
【図９】
2010065416.tif 000011
【図１０】
2010065416.tif 000012
【図１１】
2010065416.tif 000013
【図１２】
2010065416.tif 000014
【図１３】
2010065416.tif 000015